(57)【要約】【課題】  視力の弱い人であっても、釣り糸を糸通し案内部材に取り付けることを容易に行える糸通し案内部材を提供する点にある。【解決手段】  竿体１の外周面に釣り糸ガイド１Ａを備えるとともに、各竿体１を元竿６内に収納した状態で複数の釣り糸ガイド１Ａを備えた竿体の穂先部を覆うトップカバー７を設ける。トップカバー７を穂先部分に装着した状態で釣り糸ガイド１Ａの糸案内孔を貫通するとともにトップカバー７を穂先部分から取り外す際に釣り糸ａを糸案内孔内に引き込む糸通し案内部材８をトップカバー７に装備し、糸通し案内部材８の釣り釣り糸係止部８Ａを、弾性変形によって釣り糸ａを挾持するものに構成してある。【選択図】        図１
2006136227.tif 000002
【特許請求の範囲】
【請求項１】
釣り竿を構成する各竿体のうち竿先側に位置する竿体を元竿内に収納した状態でその釣り竿の竿先部分を覆う振出式釣り竿のトップカバーであって、前記トップカバーを前記竿先部分に装着した状態で釣り糸挿通経路内に位置するとともに前記トップカバーを前記竿先部分から取り外す際に釣り糸を釣り糸挿通経路内に引き込む糸通し案内部材を前記トップカバーに装備し、前記糸通し案内部材の釣り糸係止部を、前記釣り糸係止部が弾性変形によって釣り糸を挾持するように弾性体で構成してある振出式釣り竿のトップカバー。
【請求項２】
釣り竿を構成する各竿体の外周面に釣り糸ガイドを備えるとともに、前記竿体のうち竿先側に位置する各竿体を元竿内に収納した状態でその竿先側に集積された複数の釣り糸ガイドを備えた釣り竿の竿先部分を覆う振出式釣り竿のトップカバーであって、前記トップカバーを前記竿先部分に装着した状態で前記釣り糸ガイドの糸案内孔を貫通するとともに前記トップカバーを前記竿先部分から取り外す際に釣り糸を前記糸案内孔内に引き込む糸通し案内部材を前記トップカバーに装備し、前記糸通し案内部材の釣り糸係止部を、前記釣り糸係止部が弾性変形によって釣り糸を挾持するように弾性体で構成してある振出式釣り竿のトップカバー。
【請求項３】
前記糸通し案内部材の前記釣り糸係止部を弾性変形可能なコイルバネで形成してある請求項１又は２記載の振出式釣り竿のトップカバー。
【請求項４】
釣り竿を構成する各竿体の外周面に釣り糸ガイドを備えるとともに、前記各竿体のうち穂先側に位置する竿体を元竿内に収納した状態でその竿先側に集積された複数の釣り糸ガイドを備えた竿体の竿先部を覆う振出式釣り竿のトップカバーであって、前記トップカバーを前記竿先部分に装着した状態で前記釣り糸ガイドの糸案内孔を貫通するとともに前記トップカバーを前記竿先部分から取り外す際に釣り糸を前記糸案内孔内に引き込む糸通し案内部材を前記トップカバーに装備し、前記糸通し案内部材の釣り糸係止部を、釣り糸が挿通される挿通孔とその挿通孔の一端に連通する状態で形成された係止溝とで構成し、前記挿通孔に挿通された釣り糸を前記係止溝内に導入しその係止溝において弾性的に挾持すべく構成してある振出式釣り竿のトップカバー。
【請求項５】
請求項１〜４のうちのいずれかひとつに記載のトップカバーを備えた振出式釣り竿。
【発明の詳細な説明】
【技術分野】
【０００１】
本発明は、釣り竿を構成する各竿体を元竿内に収納した状態でその釣り竿の穂先部分を覆う振出式釣り竿のトップカバー及びそのトップカバーを備えた振出式釣り竿に関する。
【背景技術】
【０００２】
前記したトップカバーには、糸通し案内部材が設けてある。この糸通し案内部材は、トップカバーを穂先部分に装着した場合に、糸を案内する糸挿通経路内に位置し、トップカバーを取り外す場合に糸挿通経路内に糸を引き込むように、その釣り糸係止部に釣り糸を係止している。（特許文献１参照）。
【０００３】
【特許文献１】特開２００３−１６９５８０号公報（段落番号〔００３０〕及び、図１，２）
【発明の開示】
【発明が解決しようとする課題】
【０００４】
釣り糸係止部は、前記特許文献における図１，図２にも示すように、棒状の糸通し案内部材の先端部に形成された楕円状の孔である。釣り人は、この孔に釣り糸を通して、釣り糸を糸通し案内部材に係止させていた。
しかし、釣り糸を孔内に挿通することは、小さな孔を目視し難い人に採って難儀をするものであり、かつ、挿通した後も釣り糸を糸通し案内部材に結び付ける作業が面倒である。
【０００５】
本発明の目的は、前記したような不具合を修正して、釣り糸を糸通し案内部材に取り付けることを容易に行える糸通し案内部材を提供する点にある。
【課題を解決するための手段】
【０００６】
〔構成〕
請求項１に係る発明の特徴構成は、釣り竿を構成する各竿体のうち竿先側に位置する竿体を元竿内に収納した状態でその釣り竿の竿先部分を覆う振出式釣り竿のトップカバーであって、前記トップカバーを前記竿先部分に装着した状態で釣り糸挿通経路内に位置するとともに前記トップカバーを前記竿先部分から取り外す際に釣り糸を釣り糸挿通経路内に引き込む糸通し案内部材を前記トップカバーに装備し、前記糸通し案内部材の釣り糸係止部を、前記釣り糸係止部が弾性変形によって釣り糸を挾持するように弾性体で構成してある点にあり、その作用効果は次の通りである。
【０００７】
〔作用〕
釣り糸係止部を弾性変形させてその弾性変形した部分に釣り糸を挿入し弾性変形力を解除すれば、釣り糸は釣り糸係止部に係止される。
【０００８】
〔効果〕
したがって、釣り糸を孔に挿通することや挿通した糸を結びつけることが必要ではなく、釣り糸係止部を弾性変形させるだけで釣り糸を釣り釣り糸係止部に係止させることができて、操作が容易になる。
【０００９】
請求項２に係る発明の特徴構成は、釣り竿を構成する各竿体の外周面に釣り糸ガイドを備えるとともに、前記竿体のうち竿先側に位置する各竿体を元竿内に収納した状態でその竿先側に集積された複数の釣り糸ガイドを備えた釣り竿の竿先部分を覆う振出式釣り竿のトップカバーであって、前記トップカバーを前記竿先部分に装着した状態で前記釣り糸ガイドの糸案内孔を貫通するとともに前記トップカバーを前記竿先部分から取り外す際に釣り糸を前記糸案内孔内に引き込む糸通し案内部材を前記トップカバーに装備し、前記糸通し案内部材の釣り糸係止部を、前記釣り糸係止部が弾性変形によって釣り糸を挾持するように弾性体で構成してある点にあり、その作用効果は次の通りである。
【００１０】
〔作用効果〕
請求項１に係る発明の作用効果と同様である。
【００１１】
請求項３に係る発明の特徴構成は、請求項１又は２に係る発明において、前記前記糸通し案内部材の前記釣り糸係止部を弾性変形可能なコイルバネで形成してある点にあり、その作用効果は次の通りである。
【００１２】
〔作用効果〕
密着コイルバネを軸線方向に引き伸ばすと、密着していたコイル部分同士が離間し隙間ができる。この隙間に釣り糸を差し込み密着コイルバネへの引き伸ばし力を解放すると、釣り糸が弾性的に係止保持される。
このように、コイルバネを引き伸ばす操作をすれば、その隙間に釣り糸を差込むだけでよく、釣り糸を挿通孔に差し込む場合のようにその部分を目視する必要性が薄く、作業性がよい。
【００１３】
請求項４に係る発明の特徴構成は、振出式釣り竿を構成する各竿体の外周面に釣り糸ガイドを備えるとともに、前記各竿体のうち穂先側に位置する竿体を元竿内に収納した状態でその竿先側に集積された複数の釣り糸ガイドを備えた竿体の竿先部を覆う振出式釣り竿のトップカバーであって、前記トップカバーを前記竿先部分に装着した状態で前記釣り糸ガイドの糸案内孔を貫通するとともに前記トップカバーを前記竿先部分から取り外す際に釣り糸を前記糸案内孔内に引き込む糸通し案内部材を前記トップカバーに装備し、前記糸通し案内部材の釣り糸係止部を、釣り糸が挿通される挿通孔とその挿通孔の一端に連通する状態で形成された係止溝とで構成し、前記挿通孔に挿通された釣り糸を前記係止溝内に導入しその係止溝において弾性的に挾持すべく構成してある点にあり、その作用効果は次の通りである。
【００１４】
〔作用効果〕
ここでの釣り糸を係止部に係止させる手順は、釣り糸を挿通孔に挿通した後に係止溝側に移動させて、その係止溝内にその弾性力に抗して押し込めば係止溝に釣り糸は係止される。
したがって、糸を挿通する孔はできるだけ挿通し易い径にすることができるとともに釣り糸を挿通孔に結び付けることも必要とせず、釣り糸係止作業が容易である。
【００１５】
請求項５に係る発明の特徴構成は、請求項１〜４のうちのいずれかひとつに記載のトップカバーを備えた振出式釣り竿である点にあり、その作用効果は次の通りである。
【００１６】
〔作用効果〕
このようなトップカバーを備えているので、穂先部分の保護と釣り糸の通しを容易迅速に行うことができる。
【発明を実施するための最良の形態】
【００１７】
〔第１実施形態〕
図１に示すように、穂先竿１、二番竿２、三番竿３、及び、四番竿４、五番竿５、元竿６によって、振出式の釣り竿を構成してある。穂先竿１には、トップガイド１Ａと二つの中間ガイド１Ｂ、１Ｂを設けてある。二番竿２〜元竿６に、夫々、一番竿１と同様に釣り糸ガイド２Ａ、３Ａ、４Ａ、５Ａ、６Ａが各竿体の外周面に取り付けてある。これら、トップガイド１Ａ、中間ガイド１Ｂ、１Ｂ、釣り糸ガイド２Ａ、３Ａ、４Ａ、５Ａ、６Ａで釣り糸挿通経路を構成する。
【００１８】
トップカバー７について説明する。図１に示すように、穂先竿１、二番竿２、三番竿３、及び、四番竿４、五番竿５、元竿６竿１を夫々収縮して、すべての竿を元竿６内に収納する。この収納する状態で竿体１等の外周面に装着された糸ガイド１Ａ等は、元竿６の竿先側に整列されている。このような状態に収縮された各竿体１等の竿先部分と糸ガイド１Ａ等をトップカバー７で被覆し、糸ガイドや竿先部分の保護を図っている。
【００１９】
図１に示すように、トップカバー７は、各竿体１等の竿先部分と糸ガイド１Ａ等を覆う筒状の本体部分７Ａと、各竿体１等の竿先部分を本体部分７Ａ内に導入する挿通孔７Ｂと、その挿通孔７Ｂを形成した部分から竿尻側に延出された装着部分７Ｃとを設けて構成してある。装着部分７Ｃには締め付け固定用のバンド７Ｄが設けてあり、その装着部分７Ｃを元竿６にあてがった状態でバンド７Ｄを巻回して、トップカバー７を元竿６に取付固定する。
トップカバー７の材質としては、本体部分７Ａと装着部分７Ｃとしては樹脂を利用するが、金属を利用してもよい。バンド７Ｄには、ゴムなどの伸縮性を有する材料を採用する。
【００２０】
トップカバー７の本体部分７Ａの内部に設けられる糸通し案内部材８について説明する。図１に示すように、本体部分７Ａの先端部に取付プラグ部分７ａを装着してあり、この取付プラグ部分７ａに糸通し案内部材８の先端部が差し込み保持されている。糸通し案内部材８は棒状のものであり、図２に示すように、全体が密着巻きされたコイルバネで構成されている。このコイルバネを取付プラグ部分７ａに取り付けるには、取付治具としての金属棒８ａ等を取付プラグ部分７ａに埋め込み、その金属棒８ａの取付プラグ部分７ａから突出した部分にコイルバネを外嵌装着すればよい。
【００２１】
図１に示すように、糸通し案内部材８を装着部分７Ｃの先端近くまで延出し、全長に亘ってコイルで形成してあるので、全体が釣り糸係止部８Ａとなっている。つまり、図２（イ）に示すように、密着コイルバネを軸線方向に引き伸ばすと、密着していたコイル部分同士が離間し隙間ができる。図２（ロ）に示すように、この隙間に釣り糸ａを差し込み密着コイルバネへの引き伸ばし力を解放すると、釣り糸ａが弾性的に係止保持される。そして、この場合には、コイルを引き伸ばした際に隙間ができる部位は限定されないので、釣り糸ａを差込み装着するのも容易である。
【００２２】
以上のような構成において、次ぎのように、トップカバー７は使用される。図１（イ）に示すように、釣り竿の竿体１等を元竿６内に収納し、その竿先側に集積された釣り糸ガイド２Ａ等と各竿体１等の穂先部分を覆うようにトップカバー７を被せる。トップカバー７を被せる際には、糸通し案内部材８が各釣り糸ガイド２Ａ等を貫通する状態となるようにトップカバー７を装着する。糸通し案内部材８の挿通孔７Ｂから突出した部分に釣り糸ａを装着する。釣り糸ａを取り付けた後は、バンド７Ｄで装着部分７Ｃと糸通し案内部材８を元竿６に取り付け固定する。
【００２３】
次に、トップカバー７を取り外す場合には、図１（ロ）に示すように、トップカバー７を先端側に向けて引き抜いて行くと、トップカバー７が釣り糸ガイド１Ａ等を覆う状態から解放する。この際に糸通し案内部材８が各釣り糸ガイド２Ａ等の糸案内孔内を移動してトップガイド１Ａから抜け出ることになる。そうすると、釣り糸係止部８Ａに取り付けられている釣り糸ａが釣り糸ガイド２Ａ等内に導入されて、自動的に糸通しが行える。
【００２４】
〔別実施形態〕
（１）  糸通し案内部材８の釣り糸係止部８Ａとしては、糸通し案内部材８の全長に亘って設けるものを記載したが、図３に示すように、部分的に釣り糸係止部８Ａを形成するものであってもよい。
（２）  糸通し案内部材８の釣り糸係止部８Ａとしては、図４に示すように、金属製の小片８ｅを糸通し案内部材８に取り付けて釣り糸係止部８Ａとするものでもよい。この金属製の小片８ｅはその基端部を糸通し案内部材８にピン支持させるとともに、先端部を弾性変形させて僅かに持ち上げることができるようになっている。そして、釣り糸ａを係止する場合には、その小片８ｅの先端部を僅かに持ち上げて、その先端部と糸通し案内部材８の外周面との間に形成した間隙内に釣り糸ａを差し込み、小片８ｅの持ち上げを解放すると、小片８ｅ自体の弾性復帰力で糸通し案内部材８の外周面に当接する状態に復帰し、釣り糸ａを係止する。
（３）  図５に示すように、糸通し案内部材８の釣り糸係止部８Ａを、釣り糸ａが挿通される挿通孔８ｂとその挿通孔８ｂに挿通された釣り糸ａを導入し弾性的に挾持すべく前記挿通孔８ｂに連通する係止溝８ｃとで形成してもよい。このように構成することによって、釣り糸ａを、挿通孔８ｂを貫通させた状態で係止溝８ｃ内に引き込めば、係止溝８ｃに弾性的に挾持されて係止固定される。これによって、釣り糸ａの挿通孔８ｂ内への挿通作業を容易に行えるように結び目を作る操作も必要としない。
挿通孔８ｂに係止溝８ｃを連通形成する構成において、係止溝８ｃを非弾性的な構成とした場合であっても、この係止溝８ｃ内に釣り糸ａを位置させて、解け難くすることができる。
（４）  図６に示すように、糸通し案内部材８の釣り糸係止部８Ａを、釣り糸ａが挿通されるＶ字状の挿通孔８ｄで形成し、Ｖ字状部分を弾性的に釣り糸ａを挾持する構成とする。このようにＶ字状の挿通孔８ｄに形成することよって、釣り糸ａをＶ字状部分で弾性的に挾持することができて係止固定することができる。これによって、釣り糸ａの挿通孔８ｄ内への挿通作業を容易に行えるように結び目を作る操作も必要としない。
挿通孔８ｄをＶ字状に形成する構成において、Ｖ字状部分を非弾性的な構成とした場合であっても、このＶ字状部分に釣り糸ａを保持させて、解けなくすることができる。
（５）  トップカバー７を使用する釣り竿Ａとしては、振出式竿であれば、中通し竿であってもよい。中通し竿では、竿体１等の外周面には釣り糸ガイド１Ａが設けられてはなく、竿体１等の内部に糸挿通経路を設けてあるので、糸通し案内部材８をその糸挿通経路内に位置させるようにしてもよい。ここに、トップカバー７を竿先部分に装着した場合に、糸通し案内部材８を挿通する対象として、釣り糸ガイド１Ａ等か糸挿通経路を対象とする。これら釣り糸ガイド１Ａ等か糸挿通経路を纏めて、あらためて糸挿通経路と総称する。
【図面の簡単な説明】
【００２５】
【図１】（イ）はトップカバーを装着した状態、（ロ）はトップカバーを外して糸通しを行った状態を示す縦断側面図
【図２】（イ）は糸通し案内部材の全長をコイルバネで構成し、釣り糸係止部としてのコイルバネを引き伸ばした状態、（ロ）は釣り糸係止部に糸を挟みこんだ状態を示す斜視図
【図３】（イ）は糸通し案内部材の一部に釣り糸係止部としてのコイルバネを施し、コイルバネを引き伸ばした状態、（ロ）は釣り糸係止部に糸を挟みこんだ状態を示す斜視図
【図４】（イ）は糸通し案内部材の釣り糸係止部として、板バネ状のものを利用したものを示し、（ロ）は釣り糸係止部に糸を挟みこんだ状態を示す斜視図
【図５】（イ）は糸通し案内部材の釣り糸係止部として、挿通孔に係止溝を連通形成するものを示し、（ロ）は釣り糸係止部に糸を挟みこんだ状態を示す斜視図
【図６】（イ）は糸通し案内部材の釣り糸係止部として、Ｖ字状の挿通孔で形成したものを示し、（ロ）は釣り糸係止部に糸を挟みこんだ状態を示す斜視図
【符号の説明】
【００２６】
１、２、３、４、５、６              竿体
１Ａ、２Ａ、３Ａ、４Ａ、５Ａ、６Ａ  釣り糸ガイド
７                                  トップガイド
８                                  糸通し案内部材
８Ａ                                釣り糸係止部
８ｂ                                挿通孔
８ｃ                                係止溝
ａ                                  釣り糸
【図１】
2006136227.tif 000003
【図２】
2006136227.tif 000004
【図３】
2006136227.tif 000005
【図４】
2006136227.tif 000006
【図５】
2006136227.tif 000007
【図６】
2006136227.tif 000008